【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
ブタノールを含む少なくとも約１２％の再生可能な成分を含む炭化水素組成物であって、組成物が、エラストマーまたはガラス繊維タンク樹脂またはシーラントとともに使用することが可能であり、組成物と接触した際のエラストマーまたはガラス繊維タンク樹脂またはシーラントの１つまたはそれ以上の性能特性の変化が、約１０％以下のエタノールを含む炭化水素組成物と接触した際のエラストマーまたはガラス繊維タンク樹脂またはシーラントの１つまたはそれ以上の性能特性の変化と実質的に同じかまたはそれより小さい、上記組成物。
【請求項２】
１つまたはそれ以上の性能特性が、デュロメータ硬度、引張り強さまたは伸び、硬度、国際硬度、体積、質量、押し込み硬度、曲げ強度、および浸出または層間剥離の目に見える兆候から選択される、請求項１に記載の炭化水素組成物。
【請求項３】
（ａ）デュロメータ硬度が接触した後に約２０〜約９０単位であり、もしくは接触した後のデュロメータ硬度の変化が約６％未満であり；
（ｂ）接触した後の引張り強さまたは伸びの変化が約７０％未満であり；
（ｃ）接触した後の硬度の変化が約２０％未満であり；
（ｄ）接触した後の体積の変化が約１６０％未満であり；
（ｅ）接触した後の押し込み硬度が約３０〜約６５単位のバーコル硬度であり；
（ｆ）接触した後の国際硬度が約１０〜約１００国際ゴム硬度測定（ＩＲＨＤ）単位であり；または
（ｇ）接触した後の曲げ強度が約１０×１０3〜約３０×１０3ｐｓｉである；
請求項２に記載の炭化水素組成物。
【請求項４】
（ａ）デュロメータ硬度が、ＡＳＴＭ  Ｄ２２４０に準拠して測定され；
（ｂ）伸びが、ＡＳＴＭ  Ｄ４７１に準拠して測定され；
（ｃ）硬度が、ＡＳＴＭ  Ｄ４７１に準拠して測定され；
（ｄ）体積が、ＡＳＴＭ  Ｄ４７１に準拠して測定され；
（ｅ）質量が、ＡＳＴＭ  Ｄ４７１に準拠して測定され；
（ｆ）押し込み硬度が、ＡＳＴＭ  Ｄ２５８３に準拠して測定され；
（ｇ）国際硬度が、ＡＳＴＭ  Ｄ１４１５に準拠して測定され；または
（ｈ）曲げ強度が、ＡＳＴＭ  Ｄ７９０に準拠して測定される；
請求項２または３に記載の炭化水素組成物。
【請求項５】
エラストマーが、ＦＫＭフルオロエラストマー、エチレンオキシドコポリマー、ＶＱＭフルオロシリコーンゴム、水素化アクリロニトリルブタジエンゴム、アクリロニトリルブタジエンゴム、シリコンゴム、塩素化ポリエチレン、クロロプレンゴム、スチレンブタジエンゴム、エチレンプロピレンジエンモノマーゴムのターポリマー、加硫ゴム、熱可塑性エラストマー、エピクロロヒドリド、クロロスルホン化ポリエチレン合成ゴム、フルオロポリマーエラストマー、スチレン−アクリロニトリル、不飽和ポリエステル樹脂、ポリエステル積層体、および熱可塑性ゴムからなる群から選択され；ならびに
ガラス繊維タンク樹脂またはシーラントが、高密度ポリエチレン（ＨＤＰ）、フッ素化ＨＤＰ、ポリプロピレン、アセタールホモポリマー、アセタールコポリマー、ポリエチレンテレフタレートポリエステル、ポリエチレンテレフタレートグリコールコポリエステル、ポリブチレンテレフタレートポリエステル、コルク、ナイロン、ポリフッ化ビニリデン、ポリテトラフルオロエチレン、ポリフェニレンスルフィド、イソフタルポリエステル樹脂、テレフタルポリエステル樹脂、エポキシノボラックビニルエステル樹脂、エポキシ樹脂、ポリチオ尿素、およびニトリルからなる群から選択される；
請求項１〜４のいずれか一項に記載の組成物。
【請求項６】
ブタノールを含む少なくとも約１２％の再生可能な成分を含む炭化水素組成物であって、炭化水素組成物の導電性または排気、蒸発もしくは透過エミッションが、約１０％以下のエタノールを含む炭化水素組成物の導電性または排気、蒸発もしくは透過エミッションと実質的に同じかまたはそれより小さい、上記組成物。
【請求項７】
帯電、静電放電、または電解腐食を生じない導電性が、少なくとも約１０ｐＳ／ｍである、請求項６に記載の炭化水素組成物。
【請求項８】
エミッションが、一酸化炭素、窒素酸化物、二酸化炭素、全炭化水素、メタン、ベンゼン、１，３−ブタジエン、ホルムアルデヒド、アセトアルデヒド、オゾン、オゾン前駆体、またはそれらの組み合せである、請求項６または７に記載の炭化水素組成物。
【請求項９】
全炭化水素が、多環式芳香族炭化水素、エタン、エチレン、アセチレン、プロパン、プロピレン、ｔｒａｎｓ−２−ブテン、ブタン、１−ブテン、２−メチルプロペン、２，２−ジメチルプロパン、プロピン、１，３−ブタジエン、２−メチルプロパン、１−ブチン、ｃｉｓ−２−ブテン、またはそれらの組み合わせを含む、請求項８に記載の炭化水素組成物。
【請求項１０】
多環式芳香族炭化水素が、アセナフテン、アセナフチレン、アントラセン、ベンゾ［ａ］アントラセン、ベンゾ［ｂ］フルオランテン、ベンゾ［ｋ］フルオランテン、ベンゾ［ｇ，ｈ，ｉ］ペリレン、ベンゾ［ａ］ピレン、ベンゾ［ｅ］ピレン、クリセン、ジベンゾ［ａ，ｈ］アントラセン、フルオランテン、フルオレン、インデノ［１，２，３−ｃｄ］ピレン、２−メチルナフタレン、ナフタレン、フェナントレン、ペリレン、ピレン、またはそれらの組み合わせである、請求項９に記載の炭化水素組成物。
【請求項１１】
ブタノールが、組成物の約１６体積％以下である、請求項１〜１０のいずれか一項に記載の炭化水素組成物。
【請求項１２】
ブタノールがイソブタノールである、請求項１〜１１のいずれか一項に記載の炭化水素組成物。
【請求項１３】
ブタノール組成物の排気エミッションを、エタノール組成物の排気エミッションと比較するための方法であって：
（ｉ）車両の燃料系統中に、ブタノールを含む少なくとも約１２％の再生可能な成分を含む炭化水素組成物を含有する車両を運転する工程と；
（ii）運転中に車両からの排気試料を取得する工程と；
（iii）試料からの排気エミッションを測定する工程と；
（iv）車両の燃料系統中に、約１０％以下のエタノールを含む炭化水素組成物を含有する車両を運転しながら、工程（ｉ）〜（iii）を繰り返す工程と；
（ｖ）ブタノールを含む少なくとも約１２％の再生可能な成分を含む炭化水素組成物を含有する車両からの排気エミッションを、約１０％以下のエタノールを含む炭化水素組成物を含有する車両からの排気エミッションと比較する工程；
とを含む、上記方法。
【請求項１４】
ブタノール組成物の透過エミッションを、エタノール組成物の透過エミッションと比較するための方法であって：
（ｉ）ブタノールを含む少なくとも約１２％の再生可能な成分を含む炭化水素組成物を含有する燃料系統を運転する工程と；
（ii）燃料系統の透過エミッションを測定する工程と；
（iii）（ii）の透過エミッションを、約１０％以下のエタノールを含む炭化水素組成物からの同じ透過エミッションと比較する工程；
とを含む、上記方法。
【請求項１５】
排気エミッションまたは透過エミッションが、一酸化炭素、窒素酸化物、二酸化炭素、全炭化水素、メタン、ベンゼン、１，３−ブタジエン、ホルムアルデヒドまたはアセトアルデヒドである、請求項１３または１４に記載の方法。
【請求項１６】
全炭化水素が、エタン、エチレン、アセチレン、プロパン、プロピレン、ｔｒａｎｓ−２−ブテン、ブタン、１−ブテン、２−メチルプロペン、２，２−ジメチルプロパン、プロピン、１，３−ブタジエン、２−メチルプロパン、１−ブチン、ｃｉｓ−２−ブテン、多環式芳香族炭化水素、またはそれらの混合物を含む、請求項１５に記載の方法。
【請求項１７】
多環式芳香族炭化水素が、アセナフテン、アセナフチレン、アントラセン、ベンゾ［ａ］アントラセン、ベンゾ［ｂ］フルオランテン、ベンゾ［ｋ］フルオランテン、ベンゾ［ｇ，ｈ，ｉ］ペリレン、ベンゾ［ａ］ピレン、ベンゾ［ｅ］ピレン、クリセン、ジベンゾ［ａ，ｈ］アントラセン、フルオランテン、フルオレン、インデノ［１，２，３−ｃｄ］ピレン、２−メチルナフタレン、ナフタレン、フェナントレン、ペリレン、ピレン、またはそれらの混合物である、請求項１６に記載の方法。
【請求項１８】
測定が、ガスクロマトグラフィー、高速液体クロマトグラフィー、ガスクロマトグラフィー−質量分析法、またはフーリエ変換赤外分光法を用いて行われる、請求項１３〜１７のいずれか一項に記載の方法。
【請求項１９】
試料のモード未処理エミッションが、一酸化炭素、窒素酸化物、二酸化炭素、および全炭化水素について１Ｈｚで測定される、請求項１３〜１７のいずれか一項に記載の方法。
【請求項２０】
全炭化水素が、水素炎イオン化検出器を用いて測定され、一酸化炭素が、非分散型赤外線検出器もしくは化学発光検出器を用いて測定され、メタンが、ＳＡＥ  Ｊ１１５１に準
拠して測定され、またはそれらが組み合わせられる、請求項１３〜１８のいずれか一項に記載の方法。
【請求項２１】
ブタノール組成物の蒸発エミッションを、エタノール組成物の蒸発エミッションと比較するための方法であって：
（ｉ）ブタノールを含む少なくとも約１２％の再生可能な成分を含む炭化水素組成物を、蒸発エミッション発生器に加える工程；
（ii）発生器を加熱して、組成物の揮発分を形成する工程；
（iii）発生器のヘッドスペースから試料を収集する工程；
（iv）試料からの蒸発エミッションを測定する工程；および
（ｖ）（iv）の蒸発エミッションを、約１０％以下のエタノールを含む炭化水素組成物からの同じ蒸発エミッションと比較する工程；
を含む、上記方法。
【請求項２２】
蒸発エミッションが、炭化水素、一酸化炭素、窒素酸化物、二酸化炭素、オゾン、オゾン前駆体、全炭化水素、メタン、ベンゼン、またはトルエンである、請求項２１に記載の方法。
【請求項２３】
蒸発エミッションが、少なくとも約７０°Ｆの温度で測定され、および／または、加熱工程中に２回以上測定される、請求項２１に記載の方法。
【請求項２４】
ブタノールが、組成物の約１６体積％以下である、請求項１３〜２３のいずれか一項に記載の方法。
【請求項２５】
ブタノールがイソブタノールである、請求項１３〜２４のいずれか一項に記載の方法。